(57)【要約】本発明は、枝縄の要らない延縄に関するものである。本発明による延縄器具は、幹縄、幹縄に分離可能に結合される複数の連結具、及び各連結具に固定される釣り針を含み、これを用いて幹縄を投縄しながら釣り針の固定された複数の連結具を幹縄に順に結合し、幹縄を揚縄しながら釣り針の固定された複数の連結具を幹縄から順に分離する延縄方法を実施する。また、本発明による延縄用連結具は、上下開放された筒状のハウジング、前記ハウジングを貫通し昇降可能に収容されて、上部に前記ハウジングの端部に密着し幹縄をクランピングするクランプヘッドと下部に釣り針を連結する孔とを有する連結バー、ハウジング内部に収容されて、クランプヘッドが幹縄をクランピングする方向に前記連結バーを弾力的に支持する弾性部材、及び、連結バーの下部が貫通するように上下貫通されて、連結バーの端部と連結し前記ハウジングの他端部に結合される支持キャップ、を含む。【選択図】図１
2007528203.tif 000002
【特許請求の範囲】
【請求項１】
上下開放された筒状のハウジング、
前記ハウジングを貫通して昇降可能に収容されて、上部に前記ハウジングの端部に密着し幹縄をクランピングするクランプヘッドと、下部に釣り針を連結する孔とを有する連結バー、
前記ハウジング内部に収容されて、前記クランプヘッドが幹縄をクランピングする方向に前記連結バーを弾力的に支持する弾性部材、及び
前記連結バーの下部が貫通するように上下貫通されて、前記連結バーの端部と連結し前記ハウジングの他端部に結合される支持キャップ、を含むことを特徴とする延縄用連結具。
【請求項２】
前記ハウジングは、その中央に上下開放された貫通孔を備えて、前記貫通孔は、その入口から一定間隔で離隔された内部に係止突部を有して、前記係止突部の下方に形成された大径部に前記弾性部材が内装され、前記連結バーを介して前記係止突部と支持キャップとの間を弾性支持するようになっていることを特徴とする、請求項１に記載の延縄用連結具。
【請求項３】
前記ハウジングは、外部からの圧力を受けて前記弾性部材の弾性力に対応する方向に摺動移動可能であるように、その上部にスカート状のヘッド部が形成されたことを特徴とする、請求項１または２に記載の延縄用連結具。
【請求項４】
前記ヘッド部は、その外周上端に、幹縄が通過する多数の溝が放射状に形成されたことを特徴とする、請求項３に記載の延縄用連結具。
【請求項５】
前記クランプヘッドは、前記溝をカバーするようにヘッド部の上端に対して同等以上の直径を有して、前記ハウジングの摺動によりヘッド部から離隔されることにより幹縄から離脱されることを特徴とする、請求項４に記載の延縄用連結具。
【請求項６】
前記支持キャップの中央には、上下開放された通孔が備えられて、この通孔の内面に前記連結バーの摺動挿入を案内する複数のガイド溝が形成されて、前記連結バーの表面には、前記ガイド溝に沿って案内される複数の挿入突起が形成されて、前記ガイド溝の下方において前記通孔の内部を平面の空間として構成し、前記ガイド溝の下端左右の両方向には係止突起が形成されて、前記挿入突起がガイド溝を通過した状態で、支持キャップの回転により前記挿入突起が係止突起に係止状態となって、前記連結バーと支持キャップ間に相互結合されることを特徴とする、請求項１または２に記載の延縄用連結具。
【請求項７】
前記挿入突起は、連結バーの下部に形成されて、前記貫通孔の内面には、前記挿入突起を案内する複数のガイド溝が形成されて、前記連結バーは、その上部に前記ガイド溝に沿って案内される複数の挿入突起をさらに備え、前記上・下挿入突起は、上記ガイド溝を連続して通過できるように一直線上に形成されたことを特徴とする、請求項６に記載の延縄用連結具。
【請求項８】
前記クランプヘッドは、幹縄の離脱を防止するように、その外周に、前記ヘッド部の溝に対応し、幹縄が通過する多数の溝が放射状に形成されて、投縄または揚縄時、幹縄が前記ヘッド部とクランプヘッドとの間を、対角線の上下方向に相互対称される溝を通過するようになっていることを特徴とする、請求項５に記載の延縄用連結具。
【請求項９】
前記ヘッド部は、投縄または揚縄時、幹縄を案内するように、前記溝の外面が下方に一定の長さだけ延長したことを特徴とする、請求項４に記載の延縄用連結具。
【請求項１０】
前記ヘッド部は、その上面に、幹縄の端部が収容及び通過するような一定深さの凹部を有して、前記クランプヘッドは、幹縄の端部を加圧しながら前記幹縄の離脱を防止するように、その底面に、前記凹部の中に挿入される押圧部が突設されたことを特徴とする、請求項４に記載の延縄用連結具。
【請求項１１】
前記係止突起は、外力により支持キャップが自ら回転し係止状態が解除されることを防止するために、その表面に、前記挿入突起の上端が嵌合され安着される溝を形成したことを特徴とする、請求項６に記載の延縄用連結具。
【請求項１２】
前記弾性部材は、スプリングであることを特徴とする、請求項３に記載の延縄用連結具。
【請求項１３】
幹縄、
前記幹縄に分離可能に結合される多数の請求項１に記載の連結具、及び
前記各連結具に固定される釣り針、を含むことを特徴とする延縄器具。
【請求項１４】
幹縄を投縄しながら釣り針の固定された多数の連結具を幹縄に順に結合して、幹縄を揚縄しながら釣り針の固定された多数の連結具を幹縄から順に分離することを特徴とする、請求項１３に記載の延縄器具を用いた延縄方法。
【発明の詳細な説明】
【技術分野】
【０００１】
本発明は、枝縄の要らない延縄に関するものであって、さらに詳細には、釣り針のような漁具を付けて幹縄に直接分離可能に連結され、枝縄の役割をする連結具、そしてこのような連結具を用いた延縄方法及び器具に関するものである。
【背景技術】
【０００２】
広く知られているように、延縄は、長い幹縄に複数の枝縄を一定間隔でつけて、枝縄の先に釣り針や浮標、沈子などのような漁具をつけて魚を釣る漁法であって、一本釣りに比べ漁獲性能に優れている。
【発明の開示】
【発明が解決しようとする課題】
【０００３】
しかしながら、投縄、揚縄、または保管過程において、枝縄または枝縄に付けられた釣り針がお互い引っ掛かったり、縺れたり、損傷したりする場合、これを直して修理するのに手間がかかるようになる。
【０００４】
そこで、延縄を自動化しようとする試みにおいても、枝縄と釣り針などが縺れたり損傷したりしないように揃える器具や方法が最優先的に研究されている。
【０００５】
本発明は、上記のような問題を解決するために、枝縄自体を幹縄から分離して保管することに着眼した。
【０００６】
このような観点から本発明は、幹縄から分離可能な連結具を枝縄の代わりに使用する延縄器具及び方法を提供することにその目的がある。
【０００７】
また、本発明は、上記器具及び方法において、枝縄の代わりに、釣り針を幹縄に連結するための連結具を提供することに他の目的がある。
【課題を解決するための手段】
【０００８】
上記の目的を達成するための本発明の延縄器具は、幹縄、幹縄に分離可能に結合される複数の連結具、及び各連結具に固定される釣り針を含む。
【０００９】
また、上記の目的を達成するための本発明の延縄方法は、幹縄を投縄しながら釣り針の固定された複数の連結具を幹縄に順に結合する段階、及び幹縄を揚縄しながら釣り針の固定された複数の連結具を幹縄から順に分離する段階を含む。
【００１０】
一方、上記の他の目的を達成するための本発明の延縄用連結具は、上下開放された筒状のハウジング、前記ハウジングを貫通して昇降可能に収容されて、上部に前記ハウジングの端部に密着し幹縄をクランピングするクランプヘッドと、下部に釣り針を連結する孔とを有する連結バー、ハウジング内部に収容されて、クランプヘッドが幹縄をクランピングする方向に前記連結バーを弾力的に支持する弾性部材、及び連結バーの下部が貫通するように上下貫通されて、連結バーの端部と連結し前記ハウジングの他端部に結合される支持キャップ、を含む。
【００１１】
ハウジングは、その中央に上下開放された貫通孔を備えて、前記貫通孔は、その入口から一定間隔で離隔された内部に係止突部を有して、前記係止突部の下方に形成された大径部に前記弾性部材が内装され、前記連結バーを介して前記係止突部と支持キャップとの間を弾性支持するようになっている。
【００１２】
ハウジングは、外部からの圧力を受けてスプリングの弾性力に対応する方向に摺動移動可能であるように、その上部にスカート状のヘッド部が形成されて、ヘッド部の外周上端に、幹縄が通過する多数の溝が放射状に形成される。
【００１３】
クランプヘッドは、好ましくは、前記溝をカバーするようにヘッド部の上端に対して同等以上の直径を有するものを備えるようにする。
【００１４】
支持キャップの中央には、上下開放された通孔が備えられて、この通孔の内面に前記連結バーの摺動挿入を案内する複数のガイド溝が形成されて、前記連結バーの表面には、前記ガイド溝に沿って案内される複数の挿入突起が形成されて、前記ガイド溝の下方において前記通孔の内部を平面の空間として構成し、前記ガイド溝の下端左右の両方向には係止突起が形成されて、前記挿入突起がガイド溝を通過した状態で、支持キャップの回転により前記挿入突起が係止突起に係止状態となって、前記連結バーと支持キャップ間に相互結合される。
【００１５】
クランプヘッドは、幹縄の離脱を防止するように、その外周に、前記ヘッド部の溝に対応し、幹縄が通過する多数の溝が放射状に形成されて、投縄または揚縄時、幹縄が前記ヘッド部とクランプヘッドとの間を、対角線の上下方向に相互対称される溝を通過するようになる。
【００１６】
ヘッド部は、好ましくは、投縄または揚縄時、幹縄を案内するように、前記溝の外面が下方に一定の長さだけ延長されるように形成する。
【００１７】
ヘッド部は、その上面に、幹縄の端部が収容及び通過するような一定深さの凹部を有して、前記クランプヘッドは、幹縄の端部を加圧しながら前記幹縄の離脱を防止するように、その底面に、前記凹部の中に挿入される押圧部が突設される。
【００１８】
前記係止突起は、外力により支持キャップが自ら回転し係止状態が解除されることを防止するために、その表面に、前記挿入突起の上端が嵌合され安着される溝を備える。
【００１９】
本発明は、枝縄の代わりに、以上のような連結具が幹縄に対し分離可能に結合されるため、幹縄及び釣り針を揃えることができて、釣り針が縺れたり、損傷したりする可能性も極めて低くなり、それと同時に、投縄及び揚縄時に幹縄から離脱する問題も防止することができるようになる。
【発明の効果】
【００２０】
上述のような本発明によると、枝縄の代わりに使用する連結具が、幹縄に対し分離可能に結合されるため、幹縄及び釣り針を整然と整理することができて、釣り針が縺れたり、損傷したりする可能性も大幅に低減する。また、本発明の延縄用連結具は、幹縄がクランプヘッドとハウジングとの間に上下対角線方向に交わって係止状態を保持するため、別途の分離手段による機械的な力を借りなくては分離自体が不可能であり、それにより、漁労作業中に連結具の離脱による損失を防止することができる。
【発明を実施するための最良の形態】
【００２１】
以下、本発明の好ましい実施例を、図面を参照し詳細に説明する。
【００２２】
図１は、本発明による連結具及びこの連結具を用いた延縄器具を示している。
【００２３】
図示したように、本発明による延縄器具は、幹縄１０と、該幹縄１０に分離可能に結合される複数の連結具１００とを含む。連結具１００は、一定間隔で幹縄１０に結合される。連結具１００の先には、釣り針、浮標、沈子などが連結される。以下、本明細書で使用する用語‘釣り針’は、浮標や沈子などのように連結具の先に付着される、その他の漁具までも含む意味として使用する。
【００２４】
このような延縄器具の作動、即ち本発明による延縄方法は、下記のようになされる。
【００２５】
平常時、連結具１００は、幹縄１０から分離された状態で保管される。そして、投縄の際、それぞれの連結具１００は、幹縄１０に一定な間隔で結合され海に下ろされる。そして、揚縄時、連結具１００は、船上で幹縄１０から分離される。分離された連結具１００は、次の使用のために幹縄１０と別途に揃えられて保管される。
【００２６】
図２〜図５は、図１の延縄用連結具１００に対する本発明の一実施例をより具体的に示している。
【００２７】
図２及び図３によると、本発明の延縄用連結具１００は、ハウジング１１０、連結バー１２０、支持キャップ１３０及び弾性手段のスプリング１４０を基本的な構成とする。
【００２８】
ハウジング１１０は、上下開放された略筒状の部材であって、その中央に貫通孔１１１が穿設されており、このハウジング１１０の上部に位置したヘッド部１１２は、その外周面がほぼスカート(skirt)状になっている。ヘッド部１１２の上端には、その円周に沿って、前記連結具１００の設置時に幹縄１０(図１参照)が通るようになる、ライン溝１１４が形成されている。このライン溝１１４は、好ましくは放射状に配列される。
【００２９】
延縄用連結具１００の設置状態を示した図４を参照すると、図２の貫通孔１１１は、ハウジング１１０の内部で大径部１１１ａを有する。この大径部１１１ａは、貫通孔１１１の上端入口側から一定距離下方に形成された係止突部１１２ａにより区分されて、この大径部１１１ａには、スプリング１４０が内装される。このスプリング１４０は、ハウジング１１０の下端に支持キャップ１３０が嵌合された状態で、後述する連結バー１２０により前記係止突部１１２ａと支持キャップ１３０のボディー部１３２の上端に弾性支持される。
【００３０】
ハウジング１１０のヘッド部１１２から中央の貫通孔１１１を通じては、連結バー１２０が挿入される。支持キャップ１３０は、ハウジング１１０と同様に、その中央が上下貫通された構造であって、前記連結バー１２０は、ハウジング１００と支持キャップ１３０とを通過し、その下部が支持キャップ１３０の下方に露出される。連結バー１２０の下端には、図３に示されたように釣り針Ｆが連結される連結孔１２２が形成されている。
【００３１】
ハウジング１１０と支持キャップ１３０は、それぞれその中央の通孔の内面に、前記連結バー１２０の摺動挿入時、それを案内する複数のガイド溝１１６、１３３が形成されており、連結バー１２０の上下表面には、前記ガイド溝１１６、１３３に沿って案内される複数の挿入突起１２３、１２４が形成されている。連結バー１２０の挿入により、これらの挿入突起１２３、１２４が各ガイド溝１１６、１３３に嵌合された状態では、連結バー１２０が係止状態となり、事実上左右回転が不可能になる。
【００３２】
挿入突起１２３、１２４は、連結バー１２０の表面から外側に突出されたものであって、図２に示されたように、下方に一定の長さを有する形態である。また、挿入突起１２３、１２４は、その数に制限はないが、ハウジング１１０の貫通孔１１１の上部に形成された前記ガイド溝１１６を連続通過できるように、一直線上に形成されることが好ましい。
【００３３】
連結バー１２０は、ハウジング１１０の上端のライン溝１１４を通過するようになる幹縄１０から本発明の連結具１１０の離脱を防止するために、その上端に前記ライン溝１１４の上部カバーするクランプヘッド１３０を備える。クランプヘッド１３０は、好ましくは、連結バー１２０の上端に一体に形成されて、その外径は、ハウジング１１０のヘッド部１１２の上面と同一な大きさで提供される。図示しないが、クランプヘッド１３０は、その底面に、ハウジング１１０の上端のライン溝１１４と同様に、放射状の溝を形成してもよい。
【００３４】
貫通孔１１１を通じてハウジング１１０の内部に挿入された連結バー１２０は、その表面の下部に突出された挿入突起１２４を通じて、ハウジング１１０の下端に嵌合される支持キャップ１３０に結合されるが、この結合は、支持キャップ１３０の回転によりなされて、また回転により分離も可能である。このために、支持キャップ１３０の通孔１３５の内面に形成された前記ガイド溝１３３に上下方向に所定の長さを持たせて、その下部で前記通孔１３５の内部を平面の広い空間として構成し、前記挿入突起１２４がガイド溝１３３を通過した状態では、何の干渉も受けることなく支持キャップ１３０の自在な回転が可能になるようにすることが好ましい。また、これらのガイド溝１３３の下端左右の両方向には、前記通孔１３５の内面から突出される係止突起１３４を形成し、前記挿入突起１２４とお互い係止状態を保持するようにして、それにより、連結バー１２０と支持キャップ１３０とが相互結合されるようになる。
【００３５】
このような係止突起１３４による挿入突起１２４の係止は、この挿入突起１２４がガイド溝１３３を摺動通過した状態で、支持キャップ１３０を回転させることにより可能になる。即ち、支持キャップ１３０の回転により、挿入突起１２４がガイド溝１３３の下部を離脱すると同時に、係止突起１３４の下部に係止状態で位置するようになる。挿入突起１２４の係止状態は、支持キャップ１３０のさらなる回転により、挿入突起１２４が再びガイド溝１３３の下部に位置するようになって解除できる。この場合、挿入突起１２４とガイド溝１３３間に、摺動を通じて、ハウジング１１０の上下方向に連結バー１２０及び支持キャップ１３０の自在な分離または引出しが可能になる。
【００３６】
一方、ハウジング１１０内部の大径部１１１ａには、上述のスプリング１４０が連結バー１２０の外周を囲みながら内装されるが、連結バー１２０と支持キャップ１３０との結合により、スプリング１４０は、大径部１１１ａの上端の係止突部１１２ａと支持キャップのボディー部１３２の上端に弾性支持されると同時に、ハウジング１１０の上下方向に弾力的に加圧する状態を保持するようになる。即ち、連結バー１２０と支持キャップ１３０との結合により、スプリング１４０は、所定の加圧力を受けるようになり、それと同時にその表面に一定な弾発力が作用するようになる。それにより、前記係止突起１３４に対する挿入突起１２４の係止状態が安定化して、それと同時に図４に示されたように、連結バー１２０のクランプヘッド１２１は、ハウジング１１０の上端を密着カバーしながらライン溝１１４(図１参照)から幹縄１０が離脱することを防止するようになる。このような状態で、本発明の延縄用連結具１００は、図１に示されたように、延縄器具に設置されるようになる。逆に、係止突起１３４に対する挿入突起１２４の係止状態を解除するためには、前記スプリング１４０の弾性力を克服できる程度の一定強度以上の力を加えて支持キャップ１３０を回転させ、上述のように、ガイド溝１３３が挿入突起１２４と同一線上にくるようにすればよい。
【００３７】
本発明の一実施例による延縄用連結具の設置または分離時の作動状態を示した図５によると、図１の延縄器具の幹縄１０に前記延縄用連結具１００を設置する、または幹縄１０から延縄用連結具１００を分離することは、クランプヘッド１２１がハウジング１１０の上端から離隔されることにより可能になる。この際、クランプヘッド１２１とヘッド部１１２との間に離隔された間隔を通じて、幹縄１０が前記ライン溝１１４に挿入または離脱されるが、このようなクランプヘッド１２１の離隔は、ハウジング１１０のヘッド部１１２を下方に押圧することにより容易に行われて、この場合、ハウジング１１０は、連結バー１２０を中心に、クランプヘッド１２１と反対方向である下方に相対移動するようになる。図面上に示してはいないが、このような押圧する力、即ち外力は、人の力や所定の機械的な力を利用して具現できる。
【００３８】
このように、ハウジング１１０のヘッド部１１２からクランプヘッド１２１が離隔される場合、それと一体になっている連結バー１２０も前記クランプヘッド１２１と共にハウジング１１０の上部に引き出され、一定部分露出される。この際、スプリング１４０の表面は、所定の圧縮力を受けるようになり、それと同時に、ハウジング１１０の下端に位置した、前記連結バー１２０と結合された支持キャップ１３０も上方のハウジング１１０の内部に一定部分引き込まれる。この場合、ハウジング１１０の内部への支持キャップ１３０の引込みの程度は、そのボディー部１３２に限定し、クランプヘッド１２１の離隔時、支持キャップ１３０は、そのボディー部１３２の下部に形成されたキャップヘッド１３１が、図５のように、ハウジング１１０の下端に係止された状態で支持される。
【００３９】
一方、ヘッド部１１２に作用する外力を除去すると、スプリング１４０の弾性力により、ハウジング１１０は元の位置に復帰するが、この際、スプリング１４０の弾性力によりクランプヘッド１２１がハウジング１１０のヘッド部１１２の上面に密着カバーされながら、図４のように、再び幹縄１０を把持するような状態になる。これは、即ち、本発明の連結具１００から幹縄１０の離脱が防止された状態であることを意味する。
【００４０】
以上説明したような構成、結合及び作動特性を有する本発明の連結具１００は、ハウジング１１０の上部から貫通孔１１１を通じて連結バー１２０が挿入された後、ハウジング１１０の下部からスプリング１４０が挿入されて、支持キャップ１３０の上方への加圧及び回転により、連結バー１２０の挿入突起１２４が係止突起１３４にかかり係止状態となることによりその組立てがなされて、連結バー１２０の下端に形成された連結孔１２２に釣り針Ｆが固定されることにより、最終的に使用可能な組立て状態が完成するようになる。
【００４１】
図１及び、図２〜図５に示された一実施例を通じて分かるように、本発明の連結具１００は、連結バー１２０とクランプヘッド１２１が略‘Ｔ’字状をなしており、幹縄１０がどの方向からも連結バー１２０に引っ掛かれるようになっている。従って、幹縄１０に連結する際、方向を合わせる必要がなく、連結作業が迅速に行われるようになる。
【００４２】
図６〜図９は、図１の延縄用連結具１００に対する本発明の他の実施例を示したものであって、図６及び図７によると、本発明の延縄用連結具１００’は、ハウジング１１０’、連結バー１２０’、支持キャップ１３０’及び弾性手段のスプリング１４０’を基本構成とし、上述の図２〜図３のような結合形態からなって、実質的に図４〜図５に示されたものと同様な作動関係を実現する。
【００４３】
以下、図６〜図９に対する説明は、上記図２の実施例と同一な構成要素には同一な符号を付して、その詳細な説明は省略する。
【００４４】
図６において、延縄用連結具１００’は、幹縄１０(図１参照)の離脱を防止する効果をさらに強化するために、クランプヘッド１２１の外周に多数の離脱防止溝１２１ａが形成される。このような離脱防止溝１２１ａは、一定間隔で相互離隔された状態で、前記クランプヘッド１２１の外周先端に放射状に配列されることが好ましい。ハウジング１００’のヘッド部１１２の上端には、その周縁に沿って前記離脱防止溝１２１ａに対応する複数のライン溝１１４が形成される。このライン溝１１４は、前記ヘッド部１１２の外面に沿って下方に延長した一定深さの延長溝１１４ａを有する。離脱防止溝１２１ａとライン溝１１４とは、これらの間に幹縄１０が同時に掛けられるように同一な数で構成し、また、クランプヘッド１２１の密着時、これらが相互一致するようにすることが好ましい。
【００４５】
また、ハウジング１１０’のヘッド部１１２の上面には、ライン溝１１４の内側に一定深さの凹部１１３を形成する。この凹部１１３の中央には、図２に示されたような貫通孔１１１がハウジング１１０’の上下方向に穿設されており、この貫通孔１１１を通じてハウジング１１０’の上部から連結バー１２０’が挿入される。前記ライン溝１１４の底部は、凹部１１３の底面と同一な高さで提供されることが好ましい。前記凹部１１３を貫いてライン溝１１４の両側に引き出される幹縄１０の離脱をより完璧に遮断するために、クランプヘッド１２１の底面には前記凹部１１３の中に挿入される押圧部１２１ｂが突設される。この押圧部１２１ｂは、凹部１１３を通過する幹縄１０を、前記ハウジング１１０’の内部に備えられたスプリング１４０’の弾性力を利用し加圧固定するためのものであって、幹縄１０との安定的な面接触のために、前記凹部１１３の前面を覆うことのできる面積で形成することが好ましい。
【００４６】
一方、凹部１１３の中心から始まる貫通孔１１１の周縁には、連結バー１２０’の挿入時、この連結バー１２０’の表面に形成された挿入突起１２３、１２４を案内するために、図２に示したようなガイド溝１１６が形成される。符号１３３は、ガイド溝を示す。これらの挿入突起１２３、１２４及びガイド溝１１６、１３３は、その数に特に制限はないが、本実施例では、製作及び組立て上の便宜のために、それぞれ２つずつ、お互い対称配列されるように形成することが好ましい。
【００４７】
本発明の他の実施例による図６の延縄用連結具１００’の組立ては、図８に示したように、ハウジング１１０’の内部の大径部１１１ａに位置したスプリング１４０’とハウジング１１０’の下端に位置した支持キャップ１３０’とを連結バー１２０’が貫通した状態で、支持キャップ１３０’の上方への加圧及び回転により、連結バー１２０’の挿入突起１２４がガイド溝１３３の下端両側に形成された係止突起１３４にかかり係止状態となることにより成される。この場合、任意の外力により支持キャップ１３０’が回転し、係止状態が解除されることを防止するために、図示しないが、係止突起１３４の表面には、前記挿入突起１２４の上端が嵌められて安着される溝を形成して提供することが好ましい。このような安着溝は、製造及び組立て上の便宜のために、それぞれの係止突起１３４の表面に一つずつ形成することが好ましい。
【００４８】
上記のような構成及び組立てから、図６の連結具１００’を、図１の延縄器具の構成の幹縄１０に設置または幹縄から分離するのは、図９に示したように、人力や機械的な力を利用し、ハウジング１１０’を連結バー１２０’に対し反対方向である下方に相対移動させて、クランプヘッド１２１がハウジング１１０’の上端から離隔されるようにすることにより成される。逆に、ヘッド部１１２に作用する外力を除去すると、スプリング１４０の弾性力により、ハウジング１１０と連結バー１２０とが元の位置に戻されながら、スプリング１４０の弾力により、図７に示されたように、クランプヘッド１２１が凹部１１３をカバーすると同時にヘッド部１１２の上端に密着され、幹縄１０の離脱を防止するようになるのである。
【００４９】
一方、本発明の延縄用連結具１００’は、図示しない別途の投縄装置により幹縄１０に設けられ海に放出されて、別途の揚縄装置により幹縄１０から分離され再び回収される。この際、釣り針に魚が引っ掛かって連結具１００’にかなりの荷重がかかった状態で、揚縄装置を通じて、図１に示されたように幹縄１０を引き上げる途中、幹縄１０の張力によりクランプヘッド１２１がハウジング１１０’の上端から多少離隔されても、それにより本発明の連結具１００’が幹縄１０から自ら離脱されることは決してない。
【００５０】
これは、図６に示された連結具１００’の場合、幹縄１０が、ハウジング１１０’の上面の凹部１１３を通過し、クランプヘッド１２１の離脱防止溝１２１ａとハウジング１１０’のライン溝１１４とを通じて前記凹部１１３の両側へ引き出されると同時に、前記クランプヘッド１２１とハウジング１１０’のヘッド部１１２との間に対角線の上下方向に交わって連結され係止状態を保持するようになるためである。
【００５１】
したがって、図１のような延縄器具において、本発明の連結具を幹縄から分離することは、揚縄装置に備えられた別途の分離手段による機械的な力によってのみ可能であり、それ以外は分離自体が不可能であるため、漁労作業中に連結具が離脱されて生じる損失を前もって防止することができるようになる。
【００５２】
以上では、本発明を詳細にまた特定の実施態様を参照して説明したが、本発明の精神と範囲を逸脱することなく様々な変更や修正を加えることができることは当業者にとって明らかである。
【図面の簡単な説明】
【００５３】
【図１】本発明による延縄器具の構成及び設置状態を示した斜視図である。
【図２】図１の延縄器具に含まれる本発明による延縄用連結具の一実施例を示した分解斜視図である。
【図３】図２による延縄用連結具の結合状態を示した局部横断面図である。
【図４】図１の延縄器具において、図２の延縄用連結具が設けられた状態を拡大して示した断面図である。
【図５】図１の延縄器具において、図２の延縄用連結具を設置または分離する場合の作動状態を示した断面図である。
【図６】図１の延縄器具に含まれる本発明による延縄用連結具の他の実施例を示した分解斜視図である。
【図７】図６による延縄用連結具の結合状態を示した局部横断面図である。
【図８】図１の延縄器具において、図６の延縄用連結具が設けられた状態を拡大して示した断面図である。
【図９】図１の延縄器具において、図６の延縄用連結具を設置または分離する場合の作動状態を示した断面図である。
【符号の説明】
【００５４】
１０    幹縄
１００、１００’    連結具
１１０、１１０’    ハウジング
１１２    ヘッド部
１２０、１２０’    連結バー
１２１    クランプヘッド
１３０、１３０’    支持キャップ
１４０、１４０’    スプリング
【図１】
2007528203.tif 000003
【図２】
2007528203.tif 000004
【図３】
2007528203.tif 000005
【図４】
2007528203.tif 000006
【図５】
2007528203.tif 000007
【図６】
2007528203.tif 000008
【図７】
2007528203.tif 000009
【図８】
2007528203.tif 000010
【図９】
2007528203.tif 000011
【国際調査報告】
2007528203.tif 000012
2007528203.tif 000013